(57)【要約】【課題】密閉性が高く、蓋体をキッチリと閉めたことを消費者が判断でき、比較的、軽い力で開閉することができるヒンジキャップを提供する。【解決手段】キャップ本体１と、蓋体２とを一体に連結したヒンジ部３を有するヒンジキャップＡであって、前記キャップ本体１の天板部１ｃには、ヒンジ部３と反対側の位置に突出部１ａを形成して、前記突出部１ａの天面には、ヒンジ部３と反対側の離れた位置に開口部１ｄを設け、前記蓋体２裏面の嵌合部２ａ内周壁面の一部に、第二凸部２ｂを設けたヒンジキャップＡである。【選択図】図１
2013071773.tif 000002
【特許請求の範囲】
【請求項１】
円筒状の外筒と天板部に開口部を有するキャップ本体と、前記キャップ本体を密閉する蓋体と、前記キャップ本体と蓋体を一体に連結したヒンジ部を有する合成樹脂材でできたヒンジキャップであって、前記天板部にはヒンジ部と反対側の位置に上方へ突出した突出部を形成して、前記突出部の周壁に外側に向って突出する凸部と、前記突出部の天面のヒンジ部と反対側の位置に開口した開口部を設けるとともに、前記蓋体の裏面には前記突出部を密閉する嵌合部を形成して、少なくとも前記嵌合部内周壁面の一部に、前記凸部を乗り越え嵌着する、内側に向って突出する第二凸部を設けたことを特徴とするヒンジキャップ。
【請求項２】
前記開口部を閉鎖するための閉鎖部を、前記蓋体の裏面へ設けたことを特徴とする請求項１に記載のヒンジキャップ。
【請求項３】
第二凸部は、ヒンジ部と反対側の離れた位置付近に形成したことを特徴とする請求項１及び２に記載のヒンジキャップ。
【請求項４】
突出部の内側壁の断面がハの字に形成した傾斜部を設けたことを特徴とする請求項１乃至３のいずれか１項に記載のヒンジキャップ。
【請求項５】
ヒンジ部と反対側の離れた位置付近の前記蓋体の側壁面の一部に、突出したツバ部を形成したことを特徴とする請求項１乃至４のいずれか１項に記載のヒンジキャップ。
【請求項６】
前記ツバ部が形成された箇所の前記キャップ本体側壁面には、前記キャップ本体側壁面の一部が凹んだ指かける溝部を形成したことを特徴とする請求項１乃至５のいずれか１項に記載のヒンジキャップ。
【発明の詳細な説明】
【技術分野】
【０００１】
本発明は、粉状・顆粒状の調味料などの内容物が入ったガラス瓶やプラスチックボトルなどの容器の口部に装着されるキャップ本体に蓋が開閉自在にヒンジを介して接続するヒンジキャップに関するものである。
【背景技術】
【０００２】
粉末状の内容物を振り出して使用するようなキャップとして、特許文献１の振り出し容器のキャップなどが提案されている。特許文献１の振り出し容器のキャップは、内容物が吸湿等により固化して塊状態となった時に、これを破壊させ、粉末状として振り出しできるようにするため、開口に網を設けた網目口を形成した発明がなされている。
【０００３】
【特許文献１】特開平１０−１６７３０２号公報
【発明の開示】
【発明が解決しようとする課題】
【０００４】
内容物が粉末状のものの場合、繰返し使用しているうちに外部から湿気が侵入してしまい、吸湿等により固化して塊状態になってしまうことがある。特許文献１の振り出し容器のキャップは、そのような状態に内容物がなった場合に、塊状態になった内容物をつぶして外へ振り出すことができるように、開口に網が設けられていて、網目口に向って内容物を振り出すことで、塊状態になった内容物が網目にあたることで粉砕することができる発明である。このように、内容物が粉末状のものは、出来るだけ外部からの湿気を侵入させないために、キャップと容器の嵌着面を密着させて、密封性を高める構造にすることが求められている。
【０００５】
また、消費者が使用後に、キャップの閉め忘れによる振り出し開口穴からの湿気侵入を防ぐために、キャップがキッチリと閉まっているのかを、消費者が容易に判断しやすいようにするために、キャップ本体と蓋体を押さえて嵌着させた時に、パッチンと音が鳴るように、容器とキャップの双方の嵌着する面の周壁に突出した凸部を設けて、お互いの凸部の乗り越えにより閉封した際に音を発する構造にする場合がある。この場合、密封性を保持するために、嵌着面となるキャップ本体側の嵌着面の外周壁より、蓋体側の嵌着面の内周壁の一部が径大を形成することで壁面が密着し、気密保持させることができるが、この状態からパッチンと音がなるようにするには、さらに、キャップ本体側の嵌着面の外周壁と蓋体側の嵌着面の内周壁の周囲双方に突出させた凸部を設けることがある。その場合、密封性を保持するために構造と、パッチンと音を出すための構造の２構造が加わることで、キャップ本体と蓋体の嵌合面は更に固くなってしまい、お年寄りや体の不自由な人には、開閉が困難なヒンジキャップになってしまう傾向がある。
【０００６】
本発明の目的は、上記課題を解決し、密閉性が高く、蓋体をキッチリと閉めたことを消費者が判断でき、軽い力で蓋体の開閉をすることができるヒンジキャップを提供することである。
【課題を解決するための手段】
【０００７】
円筒状の外筒と天板部に開口部を有するキャップ本体と、前記キャップ本体を密閉する蓋体と、前記キャップ本体と蓋体を一体に連結したヒンジ部を有する合成樹脂材でできたヒンジキャップであって、前記天板部にはヒンジ部と反対側の位置に上方へ突出した突出部を形成して、前記突出部の周壁に外側に向って突出する凸部と、前記突出部の天面のヒンジ部と反対側の位置に開口した開口部を設けるとともに、前記蓋体の裏面には前記突出部を密閉する嵌合部を形成して、少なくとも前記嵌合部内周壁面の一部に、前記凸部を乗り越え嵌着する、内側に向って突出する第二凸部を設けたヒンジキャップである。
【０００８】
前記開口部を閉鎖するための閉鎖部を、前記蓋体の裏面へ設けたヒンジキャップである。
【０００９】
第二凸部は、ヒンジ部と反対側の離れた位置付近に形成したヒンジキャップである。
【００１０】
突出部の内側壁の断面がハの字に形成した傾斜部を設けたヒンジキャップである。
【００１１】
ヒンジ部と反対側の離れた位置付近の前記蓋体の側壁面の一部に、突出したツバ部を形成したヒンジキャップである。
【００１２】
前記ツバ部が形成された箇所の前記キャップ本体側壁面には、前記キャップ本体側壁面の一部が凹んだ指かける溝部を形成したヒンジキャップである。
【発明の効果】
【００１３】
本発明は、円筒状の外筒と天板部に開口部を有するキャップ本体と、前記キャップ本体を密閉する蓋体と、前記キャップ本体と蓋体を一体に連結したヒンジ部を有する合成樹脂材でできたヒンジキャップであって、前記天板部にはヒンジ部と反対側の位置に上方へ突出した突出部を形成して、前記突出部の周壁に外側に向って突出する凸部と、前記突出部の天面のヒンジ部と反対側の位置に開口した開口部を設けるとともに、前記蓋体の裏面には前記突出部を密閉する嵌合部を形成して、少なくとも前記嵌合部内周壁面の一部に、前記凸部を乗り越え嵌着する、内側に向って突出する第二凸部を設けたヒンジキャップであるので、キャップ本体と蓋体を閉めた時に密閉性が高く、外部からの湿気侵入を防ぐとともに、蓋体を閉めた時にパッチンと音がでるようにすることで、蓋体がキッチリと閉めたことを消費者が判断できるヒンジキャップを提供することができる。
【００１４】
前記開口部を閉鎖するための閉鎖部を、前記蓋体の裏面へ設けたヒンジキャップであるので、保管時に容器を倒してしまったりした際に、開口部から流出した粉体が蓋体裏面に飛散させることなく、内容物である粉体を容器内に納めておくことができるヒンジキャップを提供することができる。
【００１５】
第二凸部は、ヒンジ部と反対側の離れた位置付近に形成したヒンジキャップであるので、閉封時にパッチンと音をならす構造にした場合、蓋体の嵌合面とキャップの嵌合面が密着しすぎで蓋体の開閉が固くなりがちとなるが、第二凸部をヒンジ部と反対側の離れた位置付近に設置することで、閉封時に容易にパッチンと音をならすことができる上、比較的、軽い力で蓋体の開閉をすることができ、お年寄りなど握力が弱い人でもラクに開閉できるヒンジキャップを提供することができる。
【００１６】
突出部の内側壁の断面がハの字に形成した傾斜部を設けたヒンジキャップであるので、容器を傾けて開口部から内容物である粉体を外へ振り出す際に、傾斜部が滑り台の役目を有し、粉体を確実に、開口部へ誘導することができる上、内容物である粉体が少量になった場合においても、確実に開口部へ集めて外へ振り出すことができるヒンジキャップを提供することができる。
【００１７】
ヒンジ部と反対側の離れた位置付近の前記蓋体の側壁面の一部に、突出したツバ部を形成したヒンジキャップであるので、蓋体を開封しやすくしたヒンジキャップを提供することができる。
【００１８】
前記ツバ部が形成された箇所の前記キャップ本体側壁面には、前記キャップ本体側壁面の一部が凹んだ指かける溝部を形成したヒンジキャップであるので、蓋体を開封しやすくしたヒンジキャップを提供することができる。
【図面の簡単な説明】
【００１９】
【図１】本発明の実施形態を示すヒンジキャップの斜視図である。
【図２】図１の断面図である。
【図３】図２のａ部分を拡大した断面図である。
【図４】図２のｂ部分を拡大した断面図である。
【図５】図２のｃ部分を拡大した断面図である。
【図６】図１の蓋体を閉めた状態の断面図である。
【図７】図６のｄ部分を拡大した断面図である。
【図８】図６のｅ部分を拡大した断面図である。
【図９】図１を上からみた平面図である。
【図１０】図９のｆ部分を拡大した平面図である。
【図１１】本発明のヒンジキャップを容器にセットした状態を示す断面図である。
【図１２】内容物を振り出しするための動作を示した断面図である。
【発明を実施するための最良の形態】
【００２０】
図１及び図２、図１１において、本発明は、粉状・顆粒状になった鶏がらスープの素や、だしの素などの内容物ｚが入ったガラス瓶や樹脂ボトルなどでできた容器Ｂの口部に嵌着させるヒンジキャップＡである。前記ヒンジキャップＡは、ポリプロピレンやポリエチレンなどの合成樹脂でできている。本発明のヒンジキャップＡは、キャップ本体１と蓋体２とを一体に連結したヒンジ部３を一体成形したものである。前記キャップ本体１には、円筒状の外筒と天板部１ｃを有しており、前記天板部１ｃにはヒンジ部３と反対側の離れた位置付近に上方へ突出した突出部１ａが形成されている。前記突出部１ａの天面には、ヒンジ部３と反対側の位置に開口した開口部１ｄを設けている。また、前記突出部１ａの周壁の全周には外側へ突出した断面形状が凸状の凸部１ｂが形成されていて、前記凸部１ｂを乗り越えて密閉する嵌合部２ａが前記蓋体２の裏面に設けられている。前記凸部１ｂの突出した出っ張りと、前記嵌合部２ａの内側壁面が密着することで密閉性が保たれ、外部からの湿気侵入を防止することができる。更に、前記突出部１ａの側壁の裏面は、図５及び図６に示すように開口部１ｄに向うにつれて、側壁が小径となるハの字の傾斜部１ｆを設けることで、内容物ｚである粉状・顆粒状の調味料などを振り出す際に、図１２に示すように容器Ｂを傾けることで、断面ハの字の傾斜を有する傾斜部１ｆにより、内容物ｚが開口部１ｄへ誘導されるので、内容物ｚの残量が少なくなっても、確実に最後まで内容物ｚの振り出しをすることができる構造を有している。
【００２１】
図１乃至図４に示すように、前記嵌合部２ａは、前記突出部１ａを覆いかぶせるように、リング状の壁面を形成している。ヒンジ部３と反対側の位置の、前記嵌合部２ａの内壁面の一部分に、図３及び図９、図１０に示すように、内側に突出した断面形状が凸状の第二凸部２ｂを設けることで、図６及び図７に示すように、凸部１ｂと前記第二凸部２ｂが乗り越えて閉封した時に、パッチンと音を発するようになり、消費者がヒンジキャップＡをキッチリと閉封したことを音から判断することができる。
【００２２】
通常、気密を持たせた構造にした上で、パッチンと音を発するようにする場合は、キャップ本体と蓋体の嵌合面の全周を密着させた形状にした上で、キャップ本体と蓋体の双方の全周に、均一に突出した凸部を設けて、凸部同士の乗り越えによる勢いで、キャップ本体と蓋体がぶつかり合うことで、気密性を保持しながら、パッチンという音を発する機能を有することができる。また、気密を持たせる箇所と、パッチンと音を発するために設ける凸部の設置位置を、異なる場所に設けることで、気密性を保持させたままで、パッチンと音を発生することができる。しかし、いずれの場合も、双方の全周に設けられた凸部が、キャップ本体から蓋体を開封する時にかみ合いすぎて固くなり、お年寄りなど力が弱い人には開封するのが困難になってしまう場合が発生していた。しかし、外部からの湿気侵入を防止するためには、キャップ本体と蓋体の嵌合する面は、密閉性を有する構造にする必要がある。また、確実にキャップ本体と蓋体が閉封したことを消費者自身が認識できるようにしなければ、開口部からの湿気侵入を防ぐことはできない。その為に、密閉性を高めたヒンジキャップに、閉封した時にパッチンと音が発する機能を付加させ、力の弱いお年寄りなどでも容易に開封ができる構造にすることが求められていた。
【００２３】
そこで、本発明のヒンジキャップＡは、図８に示すように、キャップ本体１の突出部１ａの側壁の全周に形成された凸部１ｂと、前記凸部１ｂの突出した頂点の外径より小径に形成した、蓋体２側の嵌合部２ａ内側壁とで嵌め合うことで嵌合を保持させている。更に、図９及び図１０に示すように、ヒンジ部３と反対側の位置に、前記壁面の内壁の一部に前記第二凸部２ｂを形成することで、密閉性を保持しながら、比較的軽い力で開閉することができるヒンジキャップＡを提供できる。前記第二凸部２ｂの設置位置では、図７に示すように、嵌合した状態の時に、前記第二凸部２ｂの上に、凸部１ｂが配置されるようにし、前記凸部１ａと第二凸部２ｂが乗り越えた後で、密着保持し、気密性を保持することができるものである。また、第二凸部２ｂの両端は、なだらかに傾斜させることにより、嵌合部２ａの内側壁面と第二凸部２ｂの両端が接する面を出来るだけ平面状態になるように形成することで、第二凸部２ｂと凸部１ｂとの乗り越えを容易にし、凸部１ｂと嵌合部２ａの内側壁面との密着性を保持させることで気密性が高く、開閉が容易なヒンジキャップＡを提供することができる。
【００２４】
更に、図１及び図６、図１１に示すように、開口部１ｄを閉鎖するための突出した閉鎖部２ｃが蓋体２の裏面に形成されている。前記蓋体２を閉封した時に、前記閉鎖部２ｃが開口部１ｄ内に入り閉鎖することで、本発明のヒンジキャップＡが容器Ｂにセットされた状態で、容器Ｂを倒したりしても、内容物ｚである粉状・顆粒状が、蓋体２の裏面と天板部１ｃの間に入り込むことはなく、容器Ｂ内に収まった状態で内容物ｚの振り出しを実施することができる。
【００２５】
また、図６に示すように、開閉を容易にするため、ヒンジ部３と反対側の位置の前記蓋体２の側壁面の一部に、突出したツバ部２ｄを設けたヒンジキャップＡである。
【００２６】
更に、図６に示すように、前記ツバ部２ｄが形成された箇所の前記キャップ本体１の側壁面に、前記キャップ本体１側壁面の一部が凹んだ指かける溝部１ｅを形成することで、開閉動作を更に容易にサポートする機能となる。
【符号の説明】
【００２７】
１      キャップ本体
１ａ    突出部
１ｂ    凸部
１ｃ    天板部
１ｄ    開口部
１ｅ    溝部
１ｆ    傾斜部
２      蓋体
２ａ    嵌合部
２ｂ    第二凸部
２ｃ    閉鎖部
２ｄ    ツバ部
３      ヒンジ部
Ａ      ヒンジキャップ
Ｂ      容器
ｚ      内容物
【図１】
2013071773.tif 000003
【図２】
2013071773.tif 000004
【図３】
2013071773.tif 000005
【図４】
2013071773.tif 000006
【図５】
2013071773.tif 000007
【図６】
2013071773.tif 000008
【図７】
2013071773.tif 000009
【図８】
2013071773.tif 000010
【図９】
2013071773.tif 000011
【図１０】
2013071773.tif 000012
【図１１】
2013071773.tif 000013
【図１２】
2013071773.tif 000014